(57)【特許請求の範囲】
【請求項１】
陸屋根の前端部から前斜め下方に向けて傾斜屋根が連続して形成してあって外周部が略水平な端縁部と傾斜端縁部とから成る屋根の端部の、略水平な端縁部に沿って配設される外樋と、傾斜端縁部に沿って配設されるけらば樋とを樋継手により屋根の全周に亘って連通接続するとともに、外樋とけらば樋とを、施工される際に外側に位置する前側片が後側片よりも上方への突出長さが長くなるような同一断面形状とすることを特徴とする屋根の外周部の構造。
【請求項２】
外樋とけらば樋とを平面視直線状に配置し、樋継手の片側半部を外樋接続部とすると共に他の片側半部をけらば樋接続部とし、外樋接続部とけらば樋接続部とを平面視で一直線状に連続させると共に正面視で略ヘ字状に連続させ、直線状に配置された外樋とけらば樋とを上記樋継手により連通接続させて成ることを特徴とする請求項１記載の屋根の外周部の構造。
【請求項３】
平面視Ｌ字状に配置した外樋とけらば樋とを屋根の入隅部又は出隅部において接続するものであって、樋継手の片側半部を外樋接続部とすると共に他の片側半部をけらば樋接続部とし、水平な外樋接続部と上向き又は下向きに斜めに傾斜したけらば樋接続部とを平面視でＬ字状に連続させ、平面視Ｌ字状に配置された外樋とけらば樋とを上記樋継手により連通接続させて成ることを特徴とする請求項１記載の屋根の外周部の構造。
【発明の詳細な説明】
【０００１】
【発明の属する技術分野】
本発明は、屋根の外周に樋を配設する技術に関するものである。
【０００２】
【従来の技術】
従来から屋根の端部の略水平な端縁部に沿って外樋（つまり軒樋）を配設することが一般的に行われているが、屋根の傾斜した端部には樋は配置せず、化粧のためにけらば材を配置している。
【０００３】
上記のような従来例にあっては、建物の屋根の外周部は、外樋がある部分と、けらば材がある部分とに分かれ、両者は端部において連続せず、屋根の外周の外観が統一されず、外観が悪いという問題があった。
【０００４】
また、建物の屋根の外周部に配置する部材として外樋と、けらば材との異なる部材が必要で、部材点数が増大し、建物の屋根の外周の施工に当たり、外樋の施工業者と、けらば材の施工業者とは異なり、現場施工の工程数も多くなり、施工が煩雑となる。
【０００５】
【発明が解決しようとする課題】
本発明は上記の従来例の問題点に鑑みて発明したものであって、建物の屋根の外周部の外観を統一させることができ、また、屋根の外周部の仕舞いをするための部材点数が減少し、また、現場施工が容易となる屋根の外周部の構造を提供することを課題とするものである。
【０００６】
【課題を解決するための手段】
上記本発明の課題を解決するために、本発明の屋根の外周部の構造は、陸屋根Ａの前端部から前斜め下方に向けて傾斜屋根Ｂが連続して形成してあって外周部が略水平な端縁部２と傾斜端縁部４とから成る屋根１の端部の、略水平な端縁部２に沿って配設される外樋３と、傾斜端縁部４に沿って配設されるけらば樋５とを樋継手６により屋根１の全周に亘って連通接続するとともに、外樋３とけらば樋５とを、施工される際に外側に位置する前側片３ａが後側片３ｂよりも上方への突出長さが長くなるような同一断面形状とすることを特徴とするものである。このような構成とすることで、陸屋根Ａと傾斜屋根Ｂとで構成される屋根１の外周部に同一断面形状である外樋３とけらば樋５とが樋継手６を介して連通接続された状態で存在し、屋根１の外周部の外観を統一することができることになる。そして、屋根１の端部の略水平な端縁部２も傾斜端縁部４も同一断面形状の樋を施工することになって、部材の共通化、施工の簡略化が図れることになる。
【０００７】
また、外樋３とけらば樋５とを平面視直線状に配置し、樋継手６の片側半部を外樋接続部７とすると共に他の片側半部をけらば樋接続部８とし、外樋接続部７とけらば樋接続部８とを平面視で一直線状に連続させると共に正面視で略ヘ字状に連続させ、直線状に配置された外樋３とけらば樋５とを上記樋継手６により連通接続させることも好ましい。このような構成とすることで、陸屋根Ａと傾斜屋根Ｂとで構成される屋根１の端部の略水平な端縁部２と傾斜端縁部４とが直線状に配置してあっても簡単に樋継手６により連通接続できるものである。
【０００８】
また、平面視Ｌ字状に配置した外樋３とけらば樋５とを屋根１の入隅部又は出隅部において接続するものであって、樋継手６の片側半部を外樋接続部７とすると共に他の片側半部をけらば樋接続部８とし、水平な外樋接続部７と上向き又は下向きに斜めに傾斜したけらば樋接続部８とを平面視でＬ字状に連続させ、平面視Ｌ字状に配置された外樋３とけらば樋５とを上記樋継手６により連通接続させることも好ましい。このような構成とすることで、陸屋根Ａと傾斜屋根Ｂとで構成される屋根１の端部の略水平な端縁部２と傾斜端縁部４とが平面視Ｌ字状に配置してあっても簡単に樋継手６により連通接続できるものである。
【０００９】
【発明の実施の形態】
本発明を以下添付図面に示す実施形態に基づいて説明する。
【００１０】
図１には建物９の屋根１の一実施形態が示してある。図１に示す屋根１のうち上階の屋根１は陸屋根Ａと、傾斜屋根Ｂとで構成してあり、陸屋根Ａの前端部から前斜め下方に向けて傾斜屋根Ｂが連続して形成してある。また、下階の屋根１は陸屋根Ａ′で構成してある。
【００１１】
そして、上階の屋根１の外周部には樋Ｃが配置してあり、また、下階の屋根１の外周部にも樋Ｃが配置してある。この樋Ｃとしては屋根１の端部の略水平な端縁部２に沿って配設される外樋３と、屋根１の端部の傾斜端縁部４に沿って配設されるけらば樋５とが用いられ、上記外樋３とけらば樋５とは樋継手６により屋根１の全周に亘って連通接続してある。
【００１２】
外樋３とけらば樋５とは例えば図１２に示すような同じ断面形状のものを使用して部材の共通化を図っており、該樋は、前側片３ａが後側片３ｂよりも上方への突出長さが長くなっており、前側片が外側に位置するように施工されることで、配設する屋根１の端部を背の高い前側片３ａで隠すことで屋根１の端部の外観を良くするようになっている。また、両側片の上端部には耳部５ｃが形成してある。
【００１３】
樋継手６の片側半部は外樋接続部７となっており、また、他の片側半部がけらば樋接続部８となっている。
【００１４】
ここで、樋継手６としては外樋接続部７とけらば樋接続部８とを平面視で一直線状に連続させると共に正面視で略ヘ字状に連続させたものと、水平な外樋接続部７と上向き又は下向きに斜めに傾斜したけらば樋接続部８とを平面視でＬ字状に連続させたものとがある。外樋接続部７とけらば樋接続部８とを平面視で一直線状に連続させると共に正面視で略ヘ字状に連続させた樋継手６としてはけらば水上継手６ａ、けらば水下継手６ｂとがあり、また、水平な外樋接続部７と上向き又は下向きに斜めに傾斜したけらば樋接続部８とを平面視でＬ字状に連続させた樋継手６としてはけらば出隅用継手６ｃと、けらば入隅継手６ｄとがある。
【００１５】
図３にはけらば水上継手６ａが示してある。このけらば水上継手６ａは略水平な外樋接続部７の一端部から前方に前に行くほど下となるように下り傾斜したけらば樋接続部８を平面視で一直線状となるように連設したもので、外樋接続部７の内周部及びけらば樋接続部８の内周部に沿ってそれぞれ嵌め込み部１０が設けてある。そして、図１のイで示す部分において、平面視直線状に配置した外樋３とけらば樋５とを上記けらば水上継手６ａにより連通接続させるものであり、この場合、けらば水上継手６ａの略水平な外樋接続部７に屋根１の端部の略水平な端縁部２に沿って配置した外樋３の端部を挿入して該外樋３の端部を嵌め込み部１０にはめ込んで取付け、また、けらば水上継手６ａの傾斜したけらば樋接続続部８に屋根１の端部の傾斜縁部４に沿って配置したけらば樋５の端部を挿入して該けらば樋５の端部を嵌め込み部１０にはめ込んで取付けてある。図２にはけらば水上継手６ａを介して外樋３とけらば継手５とを接続する例を示す分解斜視図が示してある。
【００１６】
図４にはけらば水下継手６ｂが示してある。このけらば水下継手６ｂは略水平な外樋接続部７の一端部から後方に後に行くほど上となるように上り傾斜したけらば樋接続部８を平面視で一直線状となるように連設したもので、外樋接続部７の内周部及びけらば樋接続部８の内周部に沿ってそれぞれ嵌め込み部１０が設けてある。このけらば水下継手６ｂを用いる箇所は図１の実施形態の屋根には無いが、外樋３とけらば樋５とを図５のように一直線状に接続する場合に使用するものである。
【００１７】
図７、図８にはけらば出隅用継手６ｃが示してある。このけらば出隅用継手６ｃとしては図８に示す右用の出隅用継手６ｃと、図７に示す左用の出隅用継手６ｃとの２種類がある。このけらば出隅用継手６ｃにも外樋接続部７の内周部及びけらば樋接続部８の内周部に沿ってそれぞれ嵌め込み部１０が設けてある。そして図１のロで示す部分において、平面視Ｌ字状に配置した外樋３とけらば樋５とを屋根１の出隅部において上記出隅用継手６ｃにより連通接続させるものであり、この場合、出隅用継手６ｃの略水平な外樋接続部７に屋根１の端部の略水平な端縁部２に沿って配置した外樋３の端部を挿入して該外樋３の端部を嵌め込み部１０にはめ込んで取付け、また、出隅用継手６ｃの傾斜したけらば樋接続続部８に屋根１の端部の傾斜縁部４に沿って配置したけらば樋５の端部を挿入して該けらば樋５の端部を嵌め込み部１０にはめ込んで取付けてある。図６には上記接続部分の分解斜視図が示してある。
【００１８】
ここで、図７、図８に示すように、出隅用継手６ｃの外樋接続部７の後側片の上端部よりもけらば樋接続部８の下端部が上位置に位置するように構成するものである。このようにすることで、けらば樋接続部８へのけらば樋５の嵌め込みによる接続部分から水漏れが生じないようにできるものである。図９、図１０にはけらば入隅継手６ｄが示してある。このけらば入隅継手６ｄとしては図９に示す右用の入隅継手６ｄと、図１０に示す左用の入隅継手６ｄとの２種類がある。そしてこれらの入隅用継手６ｄは図１のハで示す部分において、平面視Ｌ字状に配置した外樋３とけらば樋５とを屋根１の入隅部において上記入隅用継手６ｄにより連通接続させるものである。ここで、入隅用継手６ｄを介して外樋３とけらば樋５とを接続するに当たっては、樋継手１５を用いて連結するものである。樋継手１５は図１１に示すようなもので、内周部に左右両側に開口する嵌め込み部１６が形成してある。そして、入隅継手６ｄの外樋継手部７の端部を樋継手１５の一方の嵌め込み部１６に嵌め込むと共に樋継手１５の他方の嵌め込み部１６に外樋３の端部を嵌め込み、入隅継手６ｄのけらば樋手部８の端部を別の樋継手１５の一方の嵌め込み部１６に嵌め込むと共に樋継手１５の他方の嵌め込み部１６にけらば樋５の端部を嵌め込みものである。
【００１９】
ところで、図６に示す樋継手１５は外樋３同士を直線状に接続する際にも使用するものである。また、外樋３同士を入隅部分、出隅部分で直角に接続するには図１３のように入隅接続継手１７、出隅接続継手１８を用いて接続するものである。
【００２０】
なお、図１の実施形態において、陸屋根Ａ、陸屋根Ａ′はベランダや屋上として人が出入りできるものであってもよいものである。
【００２１】
なお、図中３０は外樋３やけらば樋５を建物に固定するための取付け金具である。また、任意の外樋３には排水縦樋が接続してあって、けらば樋５、外樋３からの雨水を排水するようになっている。
【００２２】
【発明の効果】
本発明の請求項１記載の発明にあっては、上述のように、陸屋根の前端部から前斜め下方に向けて傾斜屋根が連続して形成してあって外周部が略水平な端縁部と傾斜端縁部とから成る屋根の端部の、略水平な端縁部に沿って配設される外樋と、傾斜端縁部に沿って配設されるけらば樋とを樋継手により屋根の全周に亘って連通接続するとともに、外樋とけらば樋とを、施工される際に外側に位置する前側片が後側片よりも上方への突出長さが長くなる同一断面形状としてあるので、陸屋根と傾斜屋根とで構成される屋根の外周部の外観を統一させることができるものであり、また、屋根の外周部の仕舞いをするために従来は樋とけらば材とを必要としたが、本発明においては同一断面形状の樋のみでよく、部材点数が減少し、また、樋の施工をする業者だけで屋根の外周部の仕舞いのための工事ができて現場施工が容易となるものである。
【００２３】
また、請求項２記載の発明にあっては、上記請求項１記載の発明の効果に加えて、外樋とけらば樋とを平面視直線状に配置し、樋継手の片側半部を外樋接続部とすると共に他の片側半部をけらば樋接続部とし、外樋接続部とけらば樋接続部とを平面視で一直線状に連続させると共に正面視で略ヘ字状に連続させ、直線状に配置された外樋とけらば樋とを上記樋継手により連通接続させてあるので、陸屋根と傾斜屋根とで構成される屋根の端部の略水平な端縁部と傾斜端縁部とが直線状に配置してあっても簡単に樋継手により連通接続できるものである。
【００２４】
また、請求項３記載の発明にあっては、上記請求項１記載の発明の効果に加えて、平面視Ｌ字状に配置した外樋とけらば樋とを屋根の入隅部又は出隅部において接続するものであって、樋継手の片側半部を外樋接続部とすると共に他の片側半部をけらば樋接続部とし、水平な外樋接続部と上向き又は下向きに斜めに傾斜したけらば樋接続部とを平面視でＬ字状に連続させ、平面視Ｌ字状に配置された外樋とけらば樋とを上記樋継手により連通接続させてあるので、陸屋根と傾斜屋根とで構成される屋根の端部の略水平な端縁部と傾斜端縁部とが平面視字状に配置してあっても簡単に樋継手により連通接続できるものである。
【図面の簡単な説明】
【図１】  本発明の一実施形態の全体概略斜視図である。
【図２】  同上の図１のイ部分の分解斜視図である。
【図３】  同上に用いるけらば水上継手を示し、（ａ）は正面図であり、（ｂ）は側面図である。
【図４】  同上のけらば水下継手を示し、（ａ）は正面図であり、（ｂ）は側面図である。
【図５】  同上のけらば水下継手を用いて外樋とけらば樋とを接続する例を示す分解斜視図である。
【図６】  同上の図１のロ部分、ハ部分を示す分解斜視図である。
【図７】  同上に用いる左用のけらば出隅用継手を示し、（ａ）は正面図であり、（ｂ）は側面図である。
【図８】  同上に用いる右用のけらば出隅用継手を示し、（ａ）は正面図であり、（ｂ）は側面図である。
【図９】  同上に用いる右用のけらば入隅継手を示し、（ａ）は正面図であり、（ｂ）は側面図である。
【図１０】  同上に用いる左用のけらば入隅継手を示し、（ａ）は正面図であり、（ｂ）は側面図である。
【図１１】  同上に用いる樋継手を示し、（ａ）は正面図であり、（ｂ）は平面図であり、（ｃ）は断面図であり、（ｄ）は断面図である。
【図１２】  同上に用いる外樋（又はけらば樋）を示し、（ａ）は正面図であり、（ｂ）は側面図である。
【図１３】  同上の外樋同士の接続を示す分解斜視図である。
【符号の説明】
１  屋根
２  略水平な端縁部
３  外樋
４  傾斜端縁部
５  けらば樋
６  樋継手
７  外樋接続部
８  樋接続部
【図１】
0003686484.tif 000002
【図２】
0003686484.tif 000003
【図３】
0003686484.tif 000004
【図４】
0003686484.tif 000005
【図５】
0003686484.tif 000006
【図６】
0003686484.tif 000007
【図７】
0003686484.tif 000008
【図８】
0003686484.tif 000009
【図９】
0003686484.tif 000010
【図１０】
0003686484.tif 000011
【図１１】
0003686484.tif 000012
【図１２】
0003686484.tif 000013
【図１３】
0003686484.tif 000014